Podtech/llm-jp-corpus-v4-ja_patent huggingface dataset:
(57)【要約】【課題】スピーディー、且つ、確実に、ラベルをＣＤの表面の適切な位置に貼り付けることができ、また、その平坦な圧縮面が表示ラベルの表面をしっかり貼り付けることができるＣＤラベルラミネート器具を提供する。【解決手段】一体成型で凸状の形態をしていて、圧縮面及び中央柱からなり、そのうち、中央柱の直径はＣＤの穴に等しく、その突起した柱状の部分は、手で持つのに便利なようになっていて、また、ＣＤを貫いている穴の位置に対応し、その圧縮面は平坦な底面を持っていて、表示ラベルをＣＤの表面に平坦に押し付けることができる。【選択図】図３
0003098182.tif 000002
【実用新案登録請求の範囲】
【請求項１】
一体成型で凸状の形態をしていて、圧縮面及び中央柱からなり、そのうち、中央柱の直径はＣＤの穴に等しく、その突起した柱状の部分は、手で持つのに便利なようになっていて、また、ＣＤを貫いている穴の位置に対応し、その圧縮面は平坦な底面を持っていて、表示ラベルをＣＤの表面に平坦に押し付けることができるという特長を持つ、ＣＤラベルラミネート器具。
【考案の詳細な説明】
【０００１】
【考案の属する技術分野】
本考案はＣＤの上に貼られた表示ラベルに使用するラミネート器具に関する。本考案のＣＤラベルラミネート器具は、表示ラベルを適切な位置に置き、完全にＣＤの表面の正確な位置に貼り付けることができるという特長を持つ。したがって、貼り付けたラベルの上に文字を書き込むことができ、ＣＤが整理、分類しやすい。
【０００２】
【従来の技術】
ハイテク技術の進歩と共に、各種電子製品の機能もレベルアップしている。特に、コンピューターは現代人の生活になくてはならないツールとなっている。コンピューターが普及するにしたがい、ＣＤの使用量もどんどん増えている。さらに、ＣＤ焼き付け装置が出回るに伴い、ＣＤの使用量は驚異的に伸びた。大量のＣＤがデータを保存するということは、いかに効率的にＣＤを管理、整理するかという問題も生じる。
一般に、ＣＤの表面には特殊な塗料が塗布されていて、その中の一部の空間に文字の書き込みができるようになっている。ＣＤ表面は光沢があり、滑りやすく、一般の筆記用具では書き込みができないため、油性のペンを使用するしかない。あるいは、ＣＤの表面に別にラベルを貼って、書き込みがしやすいようにしている。
【０００３】
【考案が解決しようとする課題】
しかしながら、大きさの限られた小さなラベルや、油性のペンしか使用できないのは、使用上、きわめて不便である。また、ＣＤの整理、保存、さらに、後日、資料をさがす時も不便である。
【０００４】
【課題を解決するための手段】
本考案のＣＤラベルラミネート器具は、スピーディー、且つ、確実に、ラベルをＣＤの表面の適切な位置に貼り付けることができる。さらに、本考案のＣＤラベルラミネート器具は、その平坦な圧縮面が表示ラベルの表面をしっかり貼り付けることができるので、表示ラベルを完全にＣＤに貼り付けることができる。面積が大きい表示ラベルは、いかなる筆記用具でも書き込むことが可能である。また、表示ラベルを色分けすることにより、はっきり区分、種類が分けられ、さがす場合もきわめて便利である。
【０００５】
【考案の実施の形態】
形態をしている。ラミネート器具１は圧縮面１１及び中央柱１２からなる。そのうち、中央柱１２の直径はＣＤ３の穴３１に等しい。その突起した柱状の部分は、手で持つのに便利なようになっている。また、ＣＤ３を貫いている穴３１の位置に対応する。その圧縮面１１は平坦な底面を持っていて、表示ラベル２をＣＤ３の表面に平坦に押し付けることができるようになっている。
【０００６】
図３及び図４を参照されたい。上述の表示ラベル２の外径はＣＤ３のと同じである。表示ラベル２の中心穴２１の直径は、ラミネート器具１５の中央柱１２の直径と同じである。中央柱１２は中心穴２１の中に貫通して、ラミネート器具１の中央柱１２の直径もまた、ＣＤ３の穴３１の大きさに合致する。したがって、表示ラベル２は中央柱１２が貫通した後、ラミネート器具１の圧縮面１１の表面に平らに置かれ、ＣＤ３はその穴３１に中央柱１２が貫通することにより、表示ラベル２及びＣＤ３の両者が同心円として結合する。
【０００７】
表示ラベル２及びＣＤ３が結合した直後は、表示ラベル２はまだ完全にＣＤ３の表面に貼り付けられてはいない。したがって、本考案のラミネート器具１の圧縮面１１と表示ラベル２が接触することにより、中央柱１２の部分を持って繰り返し移動させることで、表示ラベル２は完全にＣＤ３の表面に貼り付けられる。表示ラベル２は貼り付けられた時、空気が存在しないので、浮き上がることがない。したがって、本考案のラミネート器具１は表示ラベル２を平坦にＣＤ３の表面に貼り付けるのに非常に便利で、自分でも簡単に貼り付けることが可能である。
【０００８】
【考案の効果】
本考案のラミネート器具の圧縮面と表示ラベルが接触することにより、中央柱の部分を持って繰り返し移動させることで、表示ラベルは完全にＣＤの表面に貼り付けられる。本考案のラミネート器具は表示ラベルを平坦にＣＤの表面に貼り付けるのに非常に便利で、自分でも簡単に貼り付けることが可能である。
また、表示ラベルを色分けすることにより、はっきり区分、種類が分けられ、さがす場合もきわめて便利である。
【図面の簡単な説明】
【図１】本考案のラミネート器具の立休外観図である。
【図２】本考案のラミネート器具を別の角度から見た立体外観図である。
【図３】本考案のラミネート器具の使用状態を示した平面動作の見取り図である。
【図４】本考案のラミネート器具の、表示ラベルが完全にＣＤの表面に貼り付けられる時の様子を示した図である。
【符号の説明】
１　ラミネート器具
１１　圧縮面
１２　中央柱
２　表示ラベル
２１　中央穴
３　ＣＤ
３１　穴
【図１】
0003098182.tif 000003
【図２】
0003098182.tif 000004
【図３】
0003098182.tif 000005
【図４】
0003098182.tif 000006
(57)【要約】【課題】プラスチック、ポリプロピレン等の、保存、保管容器の蓋（ふた）面に、保存日、保管日等の表示ができる、容器の蓋（ふた）を提供する。【解決手段】プラスチック、ポリプロピレン等の、保存、保管容器の蓋（ふた）面、１において、２又は３のごとく、外周部にタワミ機構を持たせた、押しボタン状のふくらみを設け、日付表示数字を施し、指で押せば、タワミ機構とふくらみの弾力の作用により、反転してくぼみとなり、くぼみに施した数字を保存日又は保存期限、内容物の整理日等の表示とし、裏面より押せば復元し、表示の変更を行うことができるようにした。尚ふくらみ、くぼみのどちらを表示としてもよい。【選択図】　図１
0003098174.tif 000002
【実用新案登録請求の範囲】
【請求項１】
プラスチック、ポリプロピレン等の、保存、保管容器の蓋（ふた）面に、外周部にタワミ機構を持たせた、押しボタン状のふくらみをもうけ、日付表示を施し、指で押してふくらみを反転させ、くぼみとし、それを日付表示とすることを特徴とした、保存又は保管日等を表示できる保存、保管用容器蓋（ぶた）。
【考案の詳細な説明】
【０００１】
【考案の属する技術分野】
プラスチック、ポリプロピレン等の容器の蓋（ふた）面において、外周部にタワミ機構を持たせた、押しボタン状のふくらみの表面に、日付表示数字を施し、指で押せば、たわみとふくらみの弾力の作用により、反転してくぼみとなる。それをもって保存、保管日等の表示とした保存、保管用容器蓋（ぶた）であり、食品等の保存、あらゆる物品の保管、管理に使用できるものである。
【０００２】
【従来の技術】
保存、保管用容器は、その保存日又は期限を表示する場合、主にペン等で記入するような方法がとられており、書き込み消去、はり付け等が面倒であり、比較的用いられてない。
【０００３】
【考案の実施の形態】
本考案は、プラスチック、ポリプロピレン等の、保存、保管容器蓋（ぶた）に、保存、保管日等の表示装置を設けたものであり、保存、保管日等を一目で確認でき、またセットも簡単にできるようにしたもので、図面について説明すれば、容器の蓋（ふた）面に、２又は３のごとく、外周部にタワミ機構を持たせた、押しボタン状のふくらみ４をもうけ、日付表示数字を施し、通常の未セット時には、すべてがふくらみ状態４にあり、セット時には、その部分を指で押せば、タワミ機構とふくらみの弾力の作用により、反転してくぼみをつくり、６の状態となる。またふくらみ部分には、月の表示数字２、日付表示数字３を施す。日付の設定を変更するには、裏面より指で押せば復元する。また、押しボタン状のふくらみは、丸形、角型等あらゆる形としてもよく、ふくらみ、くぼみ、どちらを表示としても、差し支えない。
【０００４】
【考案の効果】
このようにすれば、保存、保管日の表示において、特別に筆記具等を使用する必要がなく、指で押すだけでよいので、使用する頻度が高くなり、保存日又は保存期限の表示により、食品用に使用すれば、健康管理意識の向上が期待でき、食中毒等の予防に貢献する。また、あらゆる大きさの容器にも用いることができ、収容物の整理日等の表示にも利用できる。
【０００５】
【図面の簡単な説明】
【図１】本考案の蓋（ふた）面の正面図である。
【図２】本考案の状態の断面図である。
【図３】本考案の応用の正面図である。
【符号の説明】
１　容器蓋（ふた）面
２　押しボタン状ふくらみの月表示部
３　押しボタン状ふくらみの日表示部
４　押しボタン状ふくらみの通常状態の側面
５　押しボタン状ふくらみの外周タワミ部
６　押しボタン状ふくらみの反転時の側面
【図１】
0003098174.tif 000003
【図２】
0003098174.tif 000004
【図３】
0003098174.tif 000005
(57)【要約】　　　（修正有）【課題】鉄工用ドリルの再研磨が所有の両頭グラインダーで安全に確実に誰でも簡単に取り付けて、再研磨出来る用にした鉄工用ドリルの再研磨治具の提供。【解決手段】普通１１８度のチゼル角度を目盛りの選択で出来る用にしてスクイ角を知らないでも上下に鉄工用ドリルを持ち動かす事で、再研磨出来る様にした。【選択図】図３
0003098177.tif 000002
【実用新案登録請求の範囲】
【請求項１】
下部に１０度に動く傾斜角を持つ透明樹脂本体（１）を平面角度１１０度１１８度１２６度から角度選択し前後１０度に動かし再研磨する鉄工用ドリルの外径専用ブツシュ（６）を持つ鉄工用ドリルの再研磨治具。
【考案の詳細な説明】
下部に１０度に動く傾斜角を持つ透明樹脂本体（１）の支点のボルト（２）で平面チゼル角度枠（３）と組み付けて、取り付け金具（４）とセンター螺子（５）で組み付け再研磨する、鉄工用ドリルの再研磨治具。
【図面の簡単な説明】
【図１】本治具の側面図である。
【図２】本治具の側面図である。
【図３】本治具の平面図である。
【図４】本治具のチゼル角度部詳細と鉄工用ドリル詳細図である。
【符号の説明】
１　　　　　　下部に１０度に動く傾斜角を持つ透明樹脂本体
２　　　　　　支点のボルト
３　　　　　　平面チゼル角度枠
４　　　　　　取り付け金具
５　　　　　　センター螺子
６　　　　　　鉄工用ドリルの外径専用ブツシュ
【図１】
0003098177.tif 000003
【図２】
0003098177.tif 000004
【図３】
0003098177.tif 000005
【図４】
0003098177.tif 000006
(57)【要約】　　　（修正有）【課題】ふとんのズレ落ち防止と共に、ベッドメーキングが楽に出来るようにする。【解決手段】伸縮性のないベルト１部分に長さを調整できる部品５を取り付け、ベッドの巾に対応できるようにし、伸縮性のないベルトの両端に角カン４を取り付け、その角カンに長さを調整できる部品のついた伸縮性のあるベルト２を通し、掛けふとんや毛布の大きさに対応できるようにし、伸縮性のあるベルトの端に止めるためのクリップ３を取り付け、掛けふとんや毛布の端を止める。伸縮性のあるベルトの効能として、ふとんや毛布を引っ張ったとき、ベルトに伸縮性があるため、ふとん等に付加をかけず、ふとんや毛布を傷つけないために用いることにした。【選択図】　　図１
0003098176.tif 000002
【実用新案登録請求の範囲】
【請求項１】
長さを調整する部品のついてある伸縮性のない紐状のベルトの両側に角カンで、伸縮性のある紐状のベルトと端部に備える複数個のクリップを接触させたものよりなりベッドを構成するマットなどに挟み込んだ状態で、マットの端部からはみ出た状態の伸縮性のある紐状のベルトと端部に備える複数個のクリップを接触させたものによって該マット上の寝具の端部等を保持することにより、上記寝具のズレや落下を防止することを特徴とする寝具のズレ防止装置。
【考案の詳細な説明】
【０００１】
【考案の属する技術分野】
この考案は、寝具、例えばベッドに付属するマットを含む周辺のふとん毛布等の付属品がベッド上においてズレたり所定の整頓状態からズレ落ちることを防止し、合わせてもとの整頓状態を再現するため手間と労力の節減に資することのできる寝具のズレ防止に関する。
【０００２】
【従来の技術】
従来のものは、ふとんのズレ落ち防止のみを問題としベッドメーキングが楽に出来ないかということは問題に入れたものではなかった。
【０００３】
【考案が解決しようとする課題】
この考案は、ふとんのズレ落ち防止のみでなく、ズレ落ち防止と共にベッドメーキングが楽に出来ないかということを問題点としてなされたものである。
【０００４】
【課題を解決するための手段】
上記目的を達成するために、この考案装置は、伸縮性のない紐状のベルトと伸縮性のある紐状のベルトと、端部に備えるクリップよりなり、ベッドを構成するマット等に挟み込んだ状態でマット等の端部からはみ出た状態のクリップが備える保持力によって該マット上の寝具の端部などを保持することにより、上記寝具のズレを防止するように構成されたものである。
【０００５】
【考案の実施の形態】
本考案装置について実施の形態を図面に基づいて説明する。
【０００６】
【実施例】
図１は本考案装置の一実施例を示す。１は伸縮性のない紐状のベルトであり２は伸縮性のある紐状のベルトである。３はベルト２の両端部に各１個を備えるクリップである。４はベルト１に普通２個もしくは複数個を取り付けた角カンで、ベルト２の長さを自在にさせ、またベルト１とベルト２を接触させる。５はベルト１に１個、ベルト２の両部部にそれぞれ１個もしくは複数個を備え、それぞれ長さを自在に調整出来る部品である。ベッドとマット或いは寝具との間に挿通の関係を保持させる。その一例が図２又は図３に示される。
【０００７】
【考案の効果】
この様に構成したので、足下の掛けふとんや毛布をクリップで固定することにより寝具のズレや、落下防止と共に胸元の乱れを直すだけで、ベッドメーキングが楽に出来るようになった。
【図面の簡単な説明】
【図１】この考案にかかる装置の一実施例の斜視図である。
【図２】使用状態を示す斜視図である。
【図３】使用状態を示す図２の断面図である。
【符号の説明】
１　伸縮性のないベルト
２　伸縮性のあるベルト
３　クリップ
４　角カン
５　調整出来る部品
６　マット
７　ベッド
【図１】
0003098176.tif 000003
【図２】
0003098176.tif 000004
【図３】
0003098176.tif 000005
(57)【要約】【課題】トイレ以外のどこにでも設置できるトイレットペーパーホルダーにする。ペーパーを引き出す際の不快な雑音をできる限りなくし，従来のトイレのイメージを彷彿させずに音楽が出るなど楽しく使用できするものにする。使い捨タイプのホルダーにもなるものにする。【解決手段】芯を抜いたトイレットペーパーの空洞部分からペーパーを取り出す構造のホルダーにして，引き出す際の雑音を無くす。取り出し口にはプルトップ式のオープナーなどを設置する。そのオープナーの周囲にサウンドＩＣを組込んで，ペーパーを取り出す際に音や音楽を発生することも出来るものにする。本体の素材に紙やラップを使用することによって使い捨ても可能にする。【選択図】図１
0003098158.tif 000002
【実用新案登録請求の範囲】
【請求項１】
芯を抜いたトイレットペーパーの空洞部分からペーパーを取り出す構造のホルダー。本体にはプラスチック，紙やラップなどを使用し，取り出し口にはプルトップ式のオープナーなどを設置する。そのオープナー周囲にサウンドＩＣを組込めばペーパーを取り出す際に音や音楽を発生することもできるもの。
【考案の詳細な説明】
【０００１】
【考案の属する技術分野】
本考案はトイレットペーパーをトイレ以外の場所，台所，テーブル，化粧台などに設置できるようにするためのトイレットペーパーホルダーに関する。
【０００２】
【従来の技術】
トイレットペーパーをホルダーに収納して食卓などでも利用する試みはあるが設置するには大き過ぎたり雑音が発生したり，従来のトイレに設置されているトイレットペーパーホルダーを彷彿させるものであった。
【０００３】
【考案が解決しようとする課題】
ペーパーを引き出す際の不快な雑音をできる限りなくす。従来のトイレのイメージを彷彿させずに音楽が出るなど楽しく使用でき，どこにでも設置できるものにする。使い捨のホルダーにもなるものにする。
【０００４】
【課題を解決するための手段】
芯を抜いたトイレットペーパーの空洞部分からペーパーを取り出す構造のホルダーにして，引き出す際の雑音を無くす。取り出し口にはプルトップ式のオープナーなどを設置する。そのオープナーの周囲にサウンドＩＣを組込んで，ペーパーを取り出す際に音や音楽を発生することも出来るものにする。本体の素材に紙やラップを使用することによって使い捨ても可能にする。
【０００５】
【考案実施の形態】
【実施例】
キッチン，テーブル，化粧台などに設置し，トイレットペーパーをキッチンペーパーやティッシュペーパーの代替品として使用する。
【０００６】
【考案の効果】
このホルダーを使用することにより，トイレットペーパーがトイレ以外の場所でも抵抗なく使用されることになる。キッチンペーパーやティッシュペーパーの代替となり低コストである。トイレットペーパーが引き出される時の摩擦音も少なく，音や音楽が発生して楽しく使用できる。ホルダー本体は紙やラップ製も可能で低コストで清潔な使い捨てタイプのホルダーにもなる。また，広告媒体としても有効である。
【図面の簡単な説明】
【図１】斜視図
【図２】プルトップオープナーの位置説明図
【図３】サウンドＩＣの説明図
【符号の説明】
１　　取り出し口
２　　サウンドＩＣ
３　　サウンドＩＣのスイッチ
４　　サウンドＩＣの電池とチップ
５　　プルトップ式オープナー
６　　本体
【図１】
0003098158.tif 000003
【図２】
0003098158.tif 000004
【図３】
0003098158.tif 000005
【手続補正書】
【提出日】平成15年7月7日(2003.7.7)
【手続補正１】
【補正対象書類名】明細書
【補正対象項目名】実用新案登録請求の範囲
【補正方法】変更
【補正の内容】
【実用新案登録請求の範囲】
【請求項１】
トイレットペーパーホルダーにおいて（１）筒状の側面と底面と中心に直径３センチ程の穴がある上蓋面からなる構造を有する。（２）ペーパーを取り出す際に設置されている音チップのスイッチにペーパーが触れて微動することにより水銀電池と繋がり作動し，音が発生する。以上を特徴とするトイレットペーパーホルダー。
(57)【要約】　　　（修正有）【課題】アクセルペダルとブレーキペダルが近い位置に設置してあって、運転中、右足でアクセルペダルを踏んだり、ブレーキペダルを踏んだりすることによって、緊迫した急ブレーキをかけるときに人間の心理がパニック状態におち、ブレーキペダルを踏むつもりが勘違いしてアクセルペダルを踏む可能性があり大きな事故につながる欠点がある。ブレーキペダルとパーキングブレーキペダルの設置位置を変更することによってこの欠点を解消する。【解決手段】ブレーキペダルを運転席の中心ポイントから前方に伸ばした垂直線から左の方にブレーキペダルの右側の一番端のポイントから運転席の中心ポイントから前方に伸ばした垂直線まで１０ｃｍ以上左に離れて設置する。パーキングブレーキペダルは、アクセルを踏むときやブレーキを踏むときに邪魔されないように、ブレーキペダルとアクセルペダルの間、真中あたりに設置する。【選択図】　　図２
0003098156.tif 000002
【実用新案登録請求の範囲】
【請求項１】
Ｂｒａｋｅ　Ｐｅｄａｌ（ブレーキペダル）を運転席の中心ポイントから前方に伸ばした垂直線から左の方にＢｒａｋｅ　Ｐｅｄａｌ（ブレーキペダル）の右側の一番端のポイントから運転席の中心ポイントから前方に伸ばした垂直線まで１０ｃｍ以上左に離れて設置したＢｒａｋｅ　Ｐｅｄａｌ（ブレーキペダル）
【請求項２】
Ｐａｒｋｉｎｇ　Ｂｒａｋｅ　Ｐｅｄａｌ（パーキングブレーキペダル）を、アクセルやブレーキを踏むときに邪魔されないように、Ａｃｃｅｌｅｒａｔｏｒ　Ｐｅｄａｌ（アクセルペダル）とＢｒａｋｅ　Ｐｅｄａｌ（ブレーキペダル）の間に設置したＰａｒｋｉｎｇ　Ｂｒａｋｅ　Ｐｅｄａｌ（パーキングブレーキペダル）
【考案の詳細な説明】
【０００１】
運転席から見ると右からＡｃｃｅｌｅｒａｔｏｒ　Ｐｅｄａｌ（アクセルペダル）、Ｂｒａｋｅ　Ｐｅｄａｌ（ブレーキペダル）、Ｐａｒｋｉｎｇ　Ｂｒａｋｅ　Ｐｅｄａｌ（パーキングブレーキペダル）の順に設置されている。Ａｃｃｅｌｅｒａｔｏｒ　Ｐｅｄａｌ（アクセルペダル）とＢｒａｋｅ　Ｐｅｄａｌ（ブレーキペダル）が近い位置に設置してあって、運転中右足でＡｃｃｅｌｅｒａｔｏｒ　Ｐｅｄａｌ（アクセルペダル）を踏んだり、Ｂｒａｋｅ　Ｐｅｄａｌ（ブレーキペダル）を踏んだりするのが、従来型である。この設計は緊迫した急ブレーキをかけるときに人間の心理がパニック状態におち、Ｂｒａｋｅ　Ｐｅｄａｌ（ブレーキペダル）を踏むつもりが勘違いしてＡｃｃｅｌｅｒａｔｏｒ　Ｐｅｄａｌ（アクセルペダル）を踏む可能性があり大きな事故につながる決定的な欠点がある。実際に、その事故が多発している現状である。特に高齢者や女性に憂慮すべき設計である。上記欠点を解決するために設計を改良して、運転席の中心ポイントから前方に伸ばした垂直線から左の方にＢｒａｋｅ　Ｐｅｄａｌ（ブレーキペダル）の右側の一番端のポイントから運転席の中心ポイントから前方に伸ばした垂直線まで１０ｃｍ以上左に離れて設置する。Ｐａｒｋｉｎｇ　Ｂｒａｋｅ　Ｐｅｄａｌ（パーキングブレーキペダル）は、アクセルを踏むときやブレーキを踏むときに邪魔されないように、ブレーキペダルとアクセルペダルの間、真中あたりに設置する。運転の仕方も同時に改良して右足はＡｃｃｅｌｅｒａｔｏｒ　Ｐｅｄａｌ（アクセルペダル）を踏む時だけ使って、左足はＢｒａｋｅ　Ｐｅｄａｌ（ブレーキペダル）を踏むときだけ使うように足の役割を完全に分担させる。設計を従来型から改良型形態に変えることによって格段の安全運転を図ることが出来る。
特徴その１
Ｂｒａｋｅ　Ｐｅｄａｌ（ブレーキペダル）とＡｃｃｅｌｅｒａｔｏｒ　Ｐｅｄａｌ（アクセルペダル）が完全に離れてあって右足はＡｃｃｅｌｅｒａｔｏｒＰｅｄａｌ（アクセルペダル）を踏むときだけ、左足はＢｒａｋｅ　Ｐｅｄａｌ（ブレーキペダル）を踏むときだけ使う役割を完全に分担させることによって、緊迫した急ブレーキをかけるときに人間の心理がパニック状態におちても、Ｂｒａｋｅ　Ｐｅｄａｌ（ブレーキペダル）は左足、右足はＡｃｃｅｌｅｒａｔｏｒ　Ｐｅｄａｌ（アクセルペダル）という本能的な認識によって勘違いなく正しくブレーキを踏むことが出来る。
特徴２
Ｂｒａｋｅ　Ｐｅｄａｌ（ブレーキペダル）を踏むとき、従来型の設計では、右足をＡｃｃｅｌｅｒａｔｏｒ　Ｐｅｄａｌ（アクセルペダル）の位置からＢｒａｋｅ　Ｐｅｄａｌ（ブレーキペダル）まで右足を動かしてＢｒａｋｅ　Ｐｅｄａｌ（ブレーキペダル）を踏むために時間がかかる。改良型の設計では左足がＢｒａｋｅ　Ｐｅｄａｌ（ブレーキペダル）の位置にあるから、Ｂｒａｋｅ　Ｐｅｄａｌ（ブレーキペダル）を踏む時間がかからない。たとえば、時速１００キロで運転中、急ブレーキをかけたときに、従来型の設計より改良型の設計のほうがブレーキをする時間が０．５秒から１秒早いことによって１４ｍから２８ｍ早くブレーキすることが出来る。
【考案が解決しようとする課題】
【０００２】安全運転が出来るように車のブレーキペダルとパーキングブレーキペダルの位置を変更した設計
【図面の簡単な説明】
【図１】従来型設置位置を示した平面図である
【図２】改良型設置位置を示した平面図である
【符号の説明】
▲１▼Ａｃｃｅｌｅｒａｔｏｒ　ｐｅｄａｌ
（アクセルペダル）
▲２▼Ｂｒａｋｅ　ｐｅｄａｌ
（ブレーキペダル）
▲３▼Ｐａｒｋｉｎｇ　ｂｒａｋｅ　ｐｅｄａｌ
（パーキングブレーキペダル）
▲４▼運転席の中心ポイント
▲５▼運転席の中心ポイントから
前方に伸ばした垂直線
【図１】
0003098156.tif 000003
【図２】
0003098156.tif 000004
【手続補正書】
【提出日】平成15年6月12日(2003.6.12)
【手続補正１】
【補正対象書類名】明細書
【補正対象項目名】実用新案登録請求の範囲
【補正方法】変更
【補正の内容】
【実用新案登録請求の範囲】
【請求項１】
Ｂｒａｋｅ　Ｐｅｄａｌ（ブレーキペダル）を運転席の中心ポイントから前方に伸ばした垂直線から左の方にＢｒａｋｅ　Ｐｅｄａｌ（ブレーキペダル）の右側の一番端のポイントから運転席の中心ポイントから前方に伸ばした垂直線まで１０ｃｍ以上左に離れてＢｒａｋｅ　Ｐｅｄａｌ（ブレーキペダル）を設置した車。
【請求項２】
Ｐａｒｋｉｎｇ　Ｂｒａｋｅ　Ｐｅｄａｌ（パーキングブレーキペダル）を、アクセルやブレーキを踏むときに邪魔されないように、Ａｃｃｅｌｅｒａｔｏｒ　Ｐｅｄａｌ（アクセルペダル）とＢｒａｋｅ　Ｐｅｄａｌ（ブレーキペダル）の間にＰａｒｋｉｎｇ　Ｂｒａｋｅ　Ｐｅｄａｌ（パーキングブレーキペダル）を設置した請求項１記載の車。
(57)【要約】【課題】本考案は、眼内圧を測定する圧力センサーと測定プラグを接合して、個体差で発生する角膜組織への影響（角膜柔軟度・角膜厚の違い）と、眼房水の漏出を防止することで正確な眼内圧を測定する。【解決手段】本考案は、眼内圧測定のための圧力センサーに測定プラグを接合したもので、個体差による角膜情報（角膜柔軟度・角膜厚）の違いと、圧力センサー挿入時に発生する眼房水の漏出を防止することで、正確に眼内圧を測定し、屈折矯正手術後の眼内圧変動や、高眼圧症や緑内障の確定診断に役立つものである。【選択図】　図１
0003098151.tif 000002
【実用新案登録請求の範囲】
【請求項１】
角膜辺輪部に矢作式眼内圧直接測定器のプラグを挿入し、実際の眼内圧を測定することで、高眼圧症、緑内障など、眼圧が重要な要素となる疾病の測定診断を可能とした。
【考案の詳細な説明】
【０００１】
本考案は、非接触型眼圧測定器（ノンコンタクトメーター）、接触型眼圧測定器（シェッツ眼圧計／圧力式眼圧計・ゴールドマン眼圧計／平圧式眼圧計）など従来の間接的眼圧測定法に対して、角膜辺輪部に挿入・した圧力センサーを極小のシリコンチューブで接合した測定器（直径０．４５×長さ１３ｍｍ〜直径０．６５ｍｍ×長さ２５ｍｍのプラグ）を用いて眼内圧を直接測定する。また、本件考案により、眼圧測定に影響を及ぼす眼房水の不要な漏出を避け、屈折矯正手術後の眼内圧変化や、高眼圧症や緑内障の確定診断を正確に行うことができるものである。
【考案の属する技術分野】
【０００２】
本考案は、静・動脈などの血管圧を測定する装置の圧力センサー先端に、眼内圧を測定できる測定プラグを取り付けたことである。
【従来の技術】
【０００３】
眼内圧は技術的に角膜中央に直接または間接的に圧力を加え、その角膜の凹みを機械的バネやレーザーによる光路差を用いて測定し、眼内圧を間接的に求めたものである。
【考案が解決しようとする課題】
【０００４】
従来、眼内圧測定には角膜表面に風を送るノンコンタクト眼圧計及び、角膜表面に置くタイプの装置で眼圧を測定していたが、個人による角膜組織柔軟度・角膜厚の違いや圧力センサー挿入時に発生する眼房水の漏出などのため、正確な眼内圧を測定することはできなかった。本考案で実施した圧力センサーと測定プラグを接合した矢作式眼内圧直接測定器は、固体差で発生する角膜の柔軟度・角膜厚の違いによる眼圧の変化に対応すると共に、圧力センサー挿入時に発生していた眼房水の漏出を防ぎ、正確な眼内圧の測定が可能である。
【課題を解決するための手段】
【０００５】
本考案は、上記
【０００４】で述べたように、固体差で発生する角膜の柔軟度・角膜厚の違いによる眼内圧への影響や、圧力センサー挿入時に発生する眼房水の漏出など、不確定診断の要素を極力排除するため、より正確な眼内圧の測定を可能とした。
【考案の実施の形態】
【０００６】
動物実験による。
【実施例】
【０００７】
無菌育成した五頭の専用実験動物（ビーグル犬）に、静脈麻酔を施した後、矢作式眼内圧直接測定器のプラグを角膜辺輪部に挿入して眼内圧の変化を測定し、眼房水の漏出が発生しなかったことを、フルオロセイン染色法などにより確認した。
【考案の効果】
本考案の実験により、個体差による角膜柔軟度・角膜厚の違い、また眼房水の漏出は発生せず、短時間に正確な眼内圧を測定することができた。
【図面の簡単な説明】
【図１】矢作式眼内圧直接測定器を示した平面図である。
【図２】矢作式眼内圧直接測定器を示した断面図である。
【符号の説明】
１　圧力センサー
２　矢作式眼圧測定プラグ
【図１】
0003098151.tif 000003
【図２】
0003098151.tif 000004
【手続補正書】
【提出日】平成15年4月10日(2003.4.10)
【手続補正１】
【補正対象書類名】明細書
【補正対象項目名】実用新案登録請求の範囲
【補正方法】変更
【補正の内容】
【実用新案登録請求の範囲】
【請求項１】
角膜辺輪部に測定器のプラグを挿入し、実際の眼内圧を測定することで、高眼圧症、緑内障など、眼圧が重要な要素となる疾病の測定診断を可能にした矢作式眼内圧測定器である。
【手続補正書】
【提出日】平成15年6月28日(2003.6.28)
【手続補正１】
【補正対象書類名】明細書
【補正対象項目名】実用新案登録請求の範囲
【補正方法】変更
【補正の内容】
【実用新案登録請求の範囲】
【請求項１】
角膜辺輪部に眼内圧直接測定針を挿入・置針し、実際の眼内圧を測定することで、高眼圧症、緑内障など、眼圧が重要な要素となる疾病の測定診断をする測定器であって、圧力センサー本体にシリコンチューブをもって接合した２３Ｇ〜２５Ｇの測定針を用いた眼内圧測定針である。
(57)【要約】　　　（修正有）【課題】首の周りに熱気が溜まり難いようにして、不快感を緩和することの出来るネクタイとする。【解決手段】首の周りの位置に当たる、３０ｃｍから３５ｃｍ程度の部分を、「粗い網目」で構成することにより、通気性能を向上させたネクタイ。【選択図】　　図１
0003098160.tif 000002
【実用新案登録請求の範囲】
【請求項１】
首の周りに当たる約３０ｃｍから３５ｃｍ部分を、粗い網目で構成し、通気構造としたネクタイ
【請求項２】
請求項１について、通気構造部分を、粗い網目の代りに、縦方向の紐のみで、より簡潔に構成したネクタイ
【請求項３】
請求項１について、通気構造部分を、粗い網目の代りに、通気性のあるメッシュ素材（細かい網目構造）で構成したネクタイ
【考案の詳細な説明】
この考案は、ネクタイの、首の周りの位置に当たる、３０ｃｍから３５ｃｍ程度の部分を、「粗い網目」で構成することにより、首周りの部分の通気性能を向上させたものである。従来、ネクタイを締めている状態では、ワイシャツの襟とネクタイが重ね合わさって、３重構造となるため、空気層が二つ出来てしまうことにより、首の周りに熱気が溜り易く、不快に感じることが多かった。本考案は、その点を除くために考案されたもので、ネクタイの、首の周りの位置に当たる、３０ｃｍから３５ｃｍ程度の部分を「粗い網目」で構成することにより、首周りの位置の通気性能を向上させることにより、ネクタイを締めているときの不快感を、緩和するものである。
【図面の簡単な説明】
【図１】本考案の正面図
【図２】本考案の側面図
【符号の説明】
１網目構造の部分
【図１】
0003098160.tif 000003
【図２】
0003098160.tif 000004
【手続補正書】
【提出日】平成15年6月16日(2003.6.16)
【手続補正１】
【補正対象書類名】明細書
【補正対象項目名】実用新案登録請求の範囲
【補正方法】変更
【補正の内容】
【実用新案登録請求の範囲】
【請求項１】
首の周りに当たる約３０ｃｍから３５ｃｍ部分を、粗い網目で構成し、通気構造としたネクタイ
【請求項２】
請求項１について、通気構造部分を、粗い網目の代りに、縦方向の紐のみで、より簡潔に構成したネクタイ
【請求項３】
請求項１について、通気構造部分を、粗い網目の代りに、通気性のあるメッシュ素材で構成したネクタイ
(57)【要約】【課題】競艇、競馬や競輪等の公営競技の投票券の購入に対し、該投票券の裏面に任意の間隔で設けられたラッキ−等の当たりを印字印刷し付加価値をもたせ楽しみと娯楽性を与えるようにした。【解決手段】すでにロ−ル状に巻かれた投票用紙１の裏面３に任意の間隔でラッキ−等の当たりを印字印刷し、予想して購入した投票券２を購入後に裏面３を見る楽しみをあたえ、ラッキ−４等の当たりがあれば投票券の的中、不的中のかかわらず景品等と引き替えすることができるようにし、投票券２の購入時の楽しみを与えることができる。【選択図】　　　図３
0003098153.tif 000002
【実用新案登録請求の範囲】
【請求項１】
本考案は、投票券を購入し、投票券の的中、不的中に関係なく投票券の裏面に対し任意の間隔でラッキ−等の当たりの文字を印字し付加価値をもたせ、投票者に二重の楽しみと娯楽性を与えることを目的とした特典付投票券。
【考案の詳細な説明】
【０００１】
【考案の属する技術分野】
本考案は、競艇、競馬や競輪等の公営競技で予想して投票券を購入するにあたり、予想とは別の楽しみ与える特典付投票券に関する。
【０００２】
【従来の技術】
従来は、不的中投票券の枚数によりポイントが与えられ、当該不的中投票券をポイントカ−ドボックスに挿入し、挿入された当該不的中投票券の枚数をポイントカ−ドに印字され、当該不的中投票券を投票券処理装置にそのつど挿入しポイントを累積して付加価値をもたらせていることは特開２００２−３２４２５７号公報に記載されているが、このような方法では処理が煩雑で娯楽性に対しては欠けるという欠点があった。
【０００３】
このような方法では、投票券の購入者には当該不的中券を蓄積させるので時間的に間隔が生じ、娯楽性を向上させるには至っていなかった。
【０００４】
【考案が解決しようとする課題】
上記のように不的中投票券の回収によりポイントを与えて、その度ごとにポイントカ−ドに蓄積させていたが、このような方法では投票券購入者に対しては煩雑であり、ポイントを蓄積させなければならない。本考案では購入投票券の裏面に任意の間隔でラッキ−等の当り文字を印字印刷してあり、当り券を所持していられる。
【０００５】
したがって、投票券の購入者はレ−スの結果以前の購入時にも予想とは別の楽しみがあり、的中、不的中に関係なく当りの表示があれば楽しめ娯楽性の向上を目的としたものである。
【０００６】
【課題を解決するための手段】
本考案は、競艇、競馬や競輪等の購入投票用紙はロ−ル状に巻かれており、該投票用紙を巻く際に同時に、投票券の裏面に任意の間隔でラッキ−等の当り文字を印字印刷したロ−ル状の投票用紙を使用し、購入時に投票券が一定の長さにカットされ購入者に投票券が渡され投票券の裏面を見る楽しみを与える。またラッキ−等の当りが的中、不的中を問わず投票者は当たることができる娯楽性の向上と期待感を考慮した特典付投票券である。
【０００７】
【考案の効果】
本考案の、競艇、競馬や競輪等の購入投票券に対し、的中、不的中に関係なく、購入時にも楽しみを与えるものである。ロ−ル上に巻かれた投票用紙の裏面にすでに印字されたものを使用する。投票券面の裏面にラッキ−等の当り文字の印字は購入金額に関係なく、例えば１０枚間隔や２０枚間隔で印字されており当りの表示がでれば景品等に引き替えられる。
【０００８】
また、投票用紙をロ−ル状に巻くのと同時に裏面にラッキ−等が印字印刷されているから、窓口投票端末（図示せず）に入れられた投票用紙より投票券の発売に対しては従来の発売と何ら変わることが無く、特定の手段も講じる必要は無い。
【０００９】
ラッキ−等の印字された当たりの文字部分は、投票用紙を巻く際、裏面に任意の間隔で印字されるため、投票券が数百枚程度発売されるとラッキ−等の当り文字が裏面の中央より徐々にずれが生じる。ずれが大きくなると、投票券の裏面のラッキ−等の当りの印字にずれが生じ、裏面に印字される当り文字が、大きくずれた場合には、当り文字の半分が認識できれば当りと認定する。
【００１０】
【考案の実施の形態】
以下において、本考案の実施の形態を図面と共に説明する。図１は、競艇、競馬や競輪等に使用されるロ−ル状に巻かれた投票用紙１である。この投票用紙１は窓口の投票端末（図示せず）に入れられ、購入者による購入により投票券２のように１枚づつカットされ図２のような投票券２のように現れる。投票券２の裏面３には任意の間隔で図３のように裏面３にラッキ−４等のように印字があると当たりとして景品等と引き替える。
【００１１】
図３の裏面３は磁気カ−ドであるため、ラッキ−等の当りの印字の文字はデ−タ−の読み取りに支障を起こさない程度、つまり縦１．５ｃｍ×横５ｃｍ以内を限度として印字される。
【００１２】
図４は、ロ−ル状の投票用紙１を巻くのと同時にラッキ−４等の当り文字の印字印刷であるが、購入枚数が多くなると、当り文字の位置が少しづつずれが図４の当り文字４の状態になる。このような投票券２の裏面３のラッキ−等の印字された当りは、文字構成の半分程度の当り表示が当りとすることにより、より多くの楽しみと期待感を高めることに役立つものである。
【図面の簡単な説明】
【図１】ロ−ル状に巻きつけた投票用紙の斜視図
【図２】投票券の平面図
【図３】本考案の裏面の当たりを示す平面図
【図４】本考案の裏面の当たりのズレた表示を示す平面図
【符号の説明】
１　投票券用紙の斜視図
２　投票券
３　投票券の裏面
４　当りの印字部
【図１】
0003098153.tif 000003
【図２】
0003098153.tif 000004
【図３】
0003098153.tif 000005
【図４】
0003098153.tif 000006
【手続補正書】
【提出日】平成15年5月23日(2003.5.23)
【手続補正１】
【補正対象書類名】明細書
【補正対象項目名】実用新案登録請求の範囲
【補正方法】変更
【補正の内容】
【実用新案登録請求の範囲】
【請求項１】
投票券の購入投票用紙はロ−ル状に巻かれており、該投票用紙を巻く際に巻くのと同時に、投票券の裏面に任意の間隔でラッキ−等の当たり文字印刷をしたロ−ル状の投票用紙を使用し、購入時に投票券が一定の長さにカットされ購入者に渡る。
前記により購入された投票券は投票券の的中、不的中に関係なく投票券の裏面に対し任意の間隔でラッキ−等の当たり文字の印字があれば景品等に引き替えのできる付加価値をもたせ、投票者に二重の楽しみと娯楽性を与えることを目的とした特典付投票券。
【手続補正書】
【提出日】平成15年8月8日(2003.8.8)
【手続補正１】
【補正対象書類名】明細書
【補正対象項目名】実用新案登録請求の範囲
【補正方法】変更
【補正の内容】
【実用新案登録請求の範囲】
【請求項１】
投票券において、
（１）投票券の裏面に任意の間隔でラッキ−等の当たり文字を印刷してあるロ−ル状に巻かれたの投票用紙を使用すること。
（２）一定の長さにカットされ購入者に渡される投票券の裏面を見て投票者にラッキ−等の当り見る楽しみを与えること。
（３）投票券の的中、不的中と投票券の裏面のラッキ−等の当りの二重の楽しみの娯楽性を与えられること。
以上のからなる特典付投票券。
(57)【要約】　　　（修正有）【課題】落ち葉・飛来物・雪が樋に詰まることを予防して雨水だけを流し、樋の垂れを防ぎ、さらには雪止めとしても機能する。【解決手段】樋の上部に有孔カバーを一体成形した、また既設の樋の上部に有孔カバーを取付ける。【選択図】　　図２
0003098157.tif 000002
【実用新案登録請求の範囲】
【請求項１】
一般住宅用の樋であり、落ち葉を含む飛来物による詰まりを防止し、雪止めの機能を併せ持ち、従来型の樋の上部に有孔カバーを一体成形していることを特徴とする金属または樹脂素材の成形加工建材。
【請求項２】
一般住宅用の樋であり、落ち葉を含む飛来物による詰まりを防止し、雪止めの機能を併せ持つもち、既設の樋の上部に取り付けられる有孔カバーであることを特徴とする金属または樹脂素材の成形加工建材。
【考案の詳細な説明】
【０００１】
【考案の属する技術分野】
本考案は一般住宅の樋に関するものである。
【０００２】
【従来の技術】
現在、一般住宅の樋においては落ち葉・飛来物・雪が容易につまり雨水が溢れ出して建物の外壁を汚したり、樋自体を痛める原因になっている。（図１）
【０００３】
【考案が解決しようとする課題】
本考案は一般住宅において落ち葉・飛来物・雪が樋に詰まることを予防して雨水だけを流し、樋の垂れを防ぎ、さらには雪止めとしても機能することを目的とする。
【０００４】
【課題を解決するための手段】
上述した目的を達成するため、本考案にあっては従来型の樋の上部に有孔カバーを一体成形したこと、また既設の樋の上部に有孔カバーを取付ける事で解決した。（図２、図３）
【０００５】
【考案の実施の形態】
雨水だけを効果的に集水する機能を樋にもたせることが可能となった。
【０００６】
【実施例】
図１は通常の樋の場合である。
従来は図１のように雨水はもとより落ち葉・飛来物・雪までも樋でうけとめてしまう為、これが原因となって樋・建物の傷みを引き起こす状況であった。これは雨水だけを集水する機能が樋になかった為である。
【００７】
そこで図２のように有孔カバーを一体成形した場合、または図３のように従来の樋に有孔カバーを施す事により雨水だけを効果的に集水する機能を樋にもたせることが可能となった。尚、孔の空け方はその土地の気候を含む状況に応じ、径を決定するものとする。
【００８】
取付けにおいて、有孔カバー一体成形の樋の場合、従来型の樋の取付けとあわせて、屋根面におけるカバーの一端をリングネイル等で打ちつける。これにより樋の垂れ防止にもなる。（図４）
【００９】
また、有孔カバーのみを既設の樋に付ける場合は、既設の樋の端に有孔カバーの端をつかみ合わせてから屋根面におけるカバーの一端をリングネイル等で打ちつける。これにより樋の垂れ防止にもなる。（図４）
【００１０】
【考案の効果】
図５は有孔カバーを取り付けた樋の断面図である。
有孔部分は上側と屋根側の２面に設けられている為、雨水だけを効果的に集め、屋根に積もった雪には雪止めと雪解け水を集める機能があることが分かる。
以上より　１、樋の詰まり防止　２、樋の垂れ防止　３、雪止めの３つの効果を併せ持つことに成功した。
【図面の簡単な説明】
【図１】従来の樋を示した説明図である。
【図２】従来型の樋の上部に有孔カバーを一体成形した説明図および寸法である。
【図３】既設の樋の上部に有孔カバーをとりつける説明図である。
【図４】有孔カバーを取り付けた樋の外観図である。
【図５】有孔カバーを取付けた樋の断面図の説明である。
【図１】
0003098157.tif 000003
【図２】
0003098157.tif 000004
【図３】
0003098157.tif 000005
【図４】
0003098157.tif 000006
【図５】
0003098157.tif 000007
【手続補正書】
【提出日】平成15年5月12日(2003.5.12)
【手続補正２】
【補正対象書類名】明細書
【補正対象項目名】実用新案登録請求の範囲
【補正方法】変更
【補正の内容】
【実用新案登録請求の範囲】
【請求項１】
樋であり、有孔カバーを一体成形していることを特徴とする金属又は樹脂素材の落ち葉よけ・雪止め用成形加工建材。
【請求項２】
樋に取り付けられる有孔カバーであり、金属又は樹脂素材の落ち葉よけ・雪止め用成形加工建材。
【手続補正３】
【補正対象書類名】明細書
【補正対象項目名】０００４
【補正方法】変更
【補正の内容】
【０００４】
【課題を解決するための手段】
上述した目的を達成するため、本考案にあっては樋に有孔カバーを一体成形したこと、また樋に有孔カバーを取り付けることで解決した。
（図２・図３）


【手続補正４】
【補正対象書類名】明細書
【補正対象項目名】００７
【補正方法】変更
【補正の内容】
【００７】
そこで図２のように有孔カバーを一体成形した場合、または図３のように樋に有孔カバーを取り付ける事により雨水だけを集水する機能を樋にもたせることが可能となった。尚、孔の空け方はその土地の気候に応じ、径を決定する。


【手続補正５】
【補正対象書類名】明細書
【補正対象項目名】００８
【補正方法】変更
【補正の内容】
【００８】
取り付けにおいて、有孔カバー一体成形の場合、樋の取り付けとあわせて、屋根面におけるカバーの端をリングネイル等で打ちつける。これにより樋の垂れ防止になる。（図４）


【手続補正６】
【補正対象書類名】明細書
【補正対象項目名】００９
【補正方法】変更
【補正の内容】
【００９】
また、有孔カバーを樋に付ける場合は、樋の端に有孔カバーの端をつかみ合わせてから屋根面におけるカバーの端をリングネイル等で打ちつける。これにより樋の垂れ防止になる。（図３・図４）


【手続補正７】
【補正対象書類名】明細書
【補正対象項目名】図面の簡単な説明
【補正方法】変更
【補正の内容】
【図面の簡単な説明】
【図１】従来の樋を示した説明図である。
【図２】有孔カバーを一体成形した樋の図および寸法である。
【図３】樋に有孔カバーをとりつける説明図である。
【図４】有孔カバーを一体成形した樋、及び樋に有孔カバーを取り付けた外観図である。
【図５】有孔カバーを一体成形した樋、及び樋に有孔カバーを取り付けた時の断面図である。
(57)【要約】　　　（修正有）【課題】中にビニール袋を簡単に装着でき、見栄えの良い簡易ゴミ入れを提供する。【解決手段】簡易ゴミ入れの中の上部に、ファスナップ２０の凹形の部分を縫い付け、凸形の部分は汚れが付かないようにビニールを二重にし、ビニールのテープで包み縫った物に縫い付けてバイアステープに挟み込んで縫ってあります。その間に、ビニール袋を挟み装着します。中に入れるビニール袋は、簡易ゴミ入れの後ろを二重にし、ファスナーを付けて、すっきり収納できるようにしました。前には、ポケットを付けました。後ろに紐を付け、フック付吸盤などにかけれるようにしました。【選択図】　　図１
0003098159.tif 000002
【実用新案登録請求の範囲】
【請求項１】
これは、中にビニール袋を簡単に装着でき、蓋も付いているので見栄えの良い簡易ゴミ入れです。
【考案の詳細な説明】
【０００１】
【考案が解決しようとする課題】
従来、ゴミ入れにビニール袋を装着すると外側に出て美観を損ねた。また、装着が不便で、ゴミ入れの中で、ビニール袋がずれたりした。そして、中に入れるビニール袋の収納場所に困り、車内では、転がったり置き場所にも困るという問題を有していた。
【０００２】
【課題を解決するための手段】
上記目的を達成するために、簡易ゴミ入れの中の上部に、ファスナップ２０の凹形の部分を縫い付け、凸形の部分は汚れが付かないようビニールを二重にし、ビニールのテープで包み縫った物に縫いつけてバイアステープに挟み込んで縫ってあります。その間に、ビニール袋を挟み装着します。中に入れるビニール袋は、簡易ゴミ入れの後ろを二重にしファスナーを付けてすっきり収納できるようしました。前には、ポケットを付けました。後ろに紐を付け、フック付吸盤にかけれるようにしました。
【００３】
【考案の効果】
この簡易ゴミ入れは、布地で作られ蓋もついているのでゴミは見えず、美観を損なわない。また、中のビニール袋を交換するだけで、ゴミ入れを持ち歩く必要もなく便利である。
【図面の簡単な説明】
【図１】蓋を開けた状態の斜視図である。
【図２】斜視図である。
【図３】後方から見た斜視図である。
【図４】ゴミ入れ内の断面図である。
【図５】ビニール袋を装着した状態を表す参考図である。
【図６】車内での使用状態を表す参考図である。
【符号の説明】
１ファスナップ２０
２ファスナー
３紐
４ポケット
５バイアステープ
６表布
７裏布
【図１】
0003098159.tif 000003
【図２】
0003098159.tif 000004
【図３】
0003098159.tif 000005
【図４】
0003098159.tif 000006
【図５】
0003098159.tif 000007
【図６】
0003098159.tif 000008
【手続補正書】
【提出日】平成15年5月13日(2003.5.13)
【手続補正１】
【補正対象書類名】明細書
【補正対象項目名】請求項１
【補正方法】変更
【補正の内容】
【請求項１】
上部の下側に凹型の留め具を取り付け、上にかぶせるように凸型の留め具を取り付けて、袋を挟めるようにしたごみ入れです。
【手続補正２】
【補正対象書類名】明細書
【補正対象項目名】考案の詳細な説明
【補正方法】変更
【補正の内容】
【考案の詳細な説明】
【０００１】
【考案が解決しようとする課題】
従来、ゴミ入れにビニール袋を装着すると美観を損ねた。また、装着が不便で、ゴミ入れの中で、ビニール袋がずれたりした。そして、中に入れるビニール袋の収納場所に困り、車内では、転がったり置き場所にも困るという問題を有していた。
【０００２】
【課題を解決するための手段】
上記目的を達成するために、簡易ゴミ入れの中の上部に、ファスナップ２０の凹型の部分を縫い付け、凸型の部分は汚れが付かないようビニールに縫い付けてバイアステープに挟み込んで縫ってあります。その間に、ビニール袋を挟み装着します。中に入れるビニール袋は、簡易ゴミ入れの後ろを二重にしファスナーを付けてすっきり収納できるようにしました。前には、ポケットを付けました。後ろに紐を付け、フック付吸盤にかけれるようにしました。
【０００３】


【手続補正３】
【補正対象書類名】図面
【補正対象項目名】図１
【補正方法】変更
【補正の内容】
【図１】
0003098159.tif 000009